(57)【要約】【課題】フットボードが滑らかでガタの無い回動性を備え、耐久性もよく、フットボードとペダルフレームとの組み付けの作業性も良好で、各部に極めて高い加工／成形精度が要求される構造ではなく、設計自由度が高く、生産性向上及び低コスト化を図ることが可能な楽器用のフットペダルを提供せんとする。【解決手段】フットボード３の基端部３０に左右横方向に貫通する取付穴３１を設け、該取付穴３１の左右両端部の内周面に、それぞれラジアル形の転がり軸受け３２を固定し、また、フットボード３の基端部３０の左右外側の位置にそれぞれペダルフレーム２の支持部６を設けるとともに、フットボードの取付穴３１及び各転がり軸受け３２を貫通する軸体７を設け、軸体７の両端部７０をペダルフレーム２左右の支持部６にそれぞれ固定した。【選択図】図２
2014137589.tif 000002
【特許請求の範囲】
【請求項１】
ペダルフレームと、基端部が前記ペダルフレームの後端側に設けられる支持部に回動可能に支持され、演奏者の踏み込み操作により先端側に連結される作動部材を介して楽器を動作させるフットボードとよりなる楽器用のフットペダルであって、
フットボードの前記基端部に、左右横方向に貫通する取付穴を設け、
該取付穴の左右両端部の内周面に、それぞれラジアル形の転がり軸受けを固定し、
フットボードの前記基端部の左右外側の位置に、それぞれペダルフレームの前記支持部を設け、
フットボードの前記基端部に設けられる前記取付穴、及び該取付穴に固定される前記各転がり軸受けを貫通する軸体を設け、
前記軸体の両端部を、ペダルフレームの左右の前記支持部にそれぞれ固定し、
これによりフットボードの前記基端部を、前記転がり軸受けを介してペダルフレームの前記支持部の間に架設された前記軸体に回動可能に支持してなる楽器用のフットペダル。
【請求項２】
前記転がり軸受けがローラベアリングである請求項１記載のフットペダル。
【請求項３】
前記転がり軸受けがニードルベアリングである請求項２記載のフットペダル。
【請求項４】
フットボードの前記基端部とペダルフレームの前記支持部との間に、前記軸体が挿通されるスラストワッシャを介装してなる請求項１〜３の何れか１項に記載のフットペダル。
【請求項５】
フットボードの前記基端部に設けられる取付穴が、転がり軸受けを係止するための小径段部を有しないストレート穴よりなる請求項１〜４の何れか１項に記載のフットペダル。
【請求項６】
ペダルフレームの前記支持部に横方向に貫通した支持穴を設け、該支持穴の内部に、前記軸体の端部が挿入される有底又は無底の挿着穴を有するペーサ部材を介して、該軸体端部を固定してなる請求項１〜５の何れか１項に記載のフットペダル。
【請求項７】
前記ペダルフレームの下面側に開口し且つ前記支持穴の内部に連通する貫通したネジ孔を設けるとともに、前記スペーサ部材の側壁部に前記ネジ孔に対応する位置に開口し且つ前記挿着穴の内部に連通する通孔又はネジ孔を設け、前記ペダルフレームの下面側から取り付ける雄ネジにより前記ペダルフレームの支持部及びスペーサ部材の側壁部を貫通して前記支持穴の内部に挿入した軸体の前記端部を上方に押圧することにより、当該軸体をスペーサ部材を介してペダルフレームの前記支持穴の内部に固着させてなる請求項６記載のフットペダル。
【請求項８】
スペーサ部材の前記挿着穴が有底の穴であり、該底部から軸方向に沿って外部に連通する貫通したネジ孔を設けてなり、ペダル分解の際、該ネジ孔に外部から雄ネジをねじ込んで挿着穴内部の軸体端面を押圧することにより、該軸体又はスペーサ部材を前記支持穴に対し軸方向に沿って内方又は外方に移動させ、該支持穴から離脱させる請求項６又は７記載のフットペダル。
【発明の詳細な説明】
【技術分野】
【０００１】
本発明は、演奏者の踏み込み操作でドラムやハイハットシンバル等を演奏するための楽器用フットペダルに関する。
【背景技術】
【０００２】
従来、この種のフットペダルは、ペダルフレームと、基端部がペダルフレームの後端側に設けられる支持部に回動可能に支持され、演奏者の踏み込み操作により先端側に連結されるチェーンやベルトを介してドラムやハイハットシンバルを動作させるフットボードとより構成されている。例えばドラム用の場合は、作動部材がドラムを叩くビータに接続され、ハイハットシンバル用の場合はシンバルを移動させる作動ロッドに接続される。このような楽器演奏者が操作するフットペダルには、滑らかでガタの無い回動性が求められる。このため、ペダルフレームの後端側の左右一対の支持部にボールベアリングを取り付けるとともにフットボードの後端部に軸体を固定し、軸体のフットボード後端部より左右に突出した軸部を前記ボールベアリングにより回動可能に枢支するものが提案されている（特許文献１参照）。
【０００３】
ところで、このようなベアリングを用いた構造の場合、演奏者からの直接の荷重を受けるフットボード側の軸部と支持部側のボールベアリング内輪との間のはめあい面に、滑り（クリープ）を防止するための締めしろが必要である。締めしろを設けるためには軸部にベアリングを圧入すればよいが、構造上、フットボードとペダルフレームとを軸体で組み付けた状態でベアリングを圧入する必要があり、作業性が悪く現実的でない。したがって特許文献１では、支持部のベアリング取付穴を、ベアリング外輪が係止される段部を有する段付き穴にするとともに、軸体の左右軸部にベアリング内輪が係止される段部とその先端側にナットを取り付けるための雄ネジ部とを設け、軸体の軸部にベアリングを装着して外側からナットで締め付けることにより、該軸部の段部とナットとの間にベアリング内輪が挟持され、同時にベアリング外輪が取付穴の段部とナットとの間に挟持される構造としている。
【０００４】
しかしながら、このような構造は軸部の段部の位置と取付穴の段部の位置が互いに関連し、且つ極めて高い加工／成形精度が要求される。例えば軸部の段部の位置が取付穴の段部の位置に対して設定よりも内側にずれると、ナットを締め付けてもベアリング内輪を軸部に固定できなくなり滑りが生じるか、或いはベアリングに軸方向の無理な力がかかり、スムーズな回動ができなくなる。逆に外側にずれると、外輪と取付穴側の段部との間に隙間が生じ、ベアリングを取付穴にガタなく固定することができなくなる。この隙間が小さくても大きさ、タイミング、方向が一定ではない複雑な荷重が作用するフットボードのガタつきが大きくなる。したがって、上記のとおり極めて高い精度が必要であり、生産性の向上に一定の限界が生じる。
【０００５】
また、特許文献１では、荷重を受けるフットボードの基端部から左右に片持ち状に突出する軸部を、それぞれペダルフレーム左右の支持部のベアリングにより支持する構造とされているが、このような片持状に突出した軸部は、強度が十分でないと長期使用によって曲がりが生じる虞があり、特に、取付穴の段部にベアリング外輪を係止するように構成しているので、フットボード基端部から離れた位置で軸部が支持され、軸体に曲がりが生じてガタつきやベアリングの破損の要因となる虞もあり、設計上、軸体のサイズや素材、ベアリングの選択の幅が狭くなるといった課題があった。
【先行技術文献】
【特許文献】
【０００６】
【特許文献１】特開２０１１−３９５０６号公報（図６）
【発明の概要】
【発明が解決しようとする課題】
【０００７】
そこで、本発明が前述の状況に鑑み、解決しようとするところは、フットボードが滑らかでガタの無い回動性を備え、耐久性もよく、フットボードとペダルフレームとの組み付けの作業性も良好で、各部に極めて高い加工／成形精度が要求される構造ではなく、設計自由度が高く、生産性向上及び低コスト化を図ることが可能な楽器用のフットペダルを提供する点にある。
【課題を解決するための手段】
【０００８】
本発明は、前述の課題解決のために、ペダルフレームと、基端部が前記ペダルフレームの後端側に設けられる支持部に回動可能に支持され、演奏者の踏み込み操作により先端側に連結される作動部材を介して楽器を動作させるフットボードとよりなる楽器用のフットペダルであって、フットボードの前記基端部に、左右横方向に貫通する取付穴を設け、該取付穴の左右両端部の内周面に、それぞれラジアル形の転がり軸受けを固定し、フットボードの前記基端部の左右外側の位置に、それぞれペダルフレームの前記支持部を設け、フットボードの前記基端部に設けられる前記取付穴、及び該取付穴に固定される前記各転がり軸受けを貫通する軸体を設け、前記軸体の両端部を、ペダルフレームの左右の前記支持部にそれぞれ固定し、これによりフットボードの前記基端部を、前記転がり軸受けを介してペダルフレームの前記支持部の間に架設された前記軸体に回動可能に支持してなる楽器用のフットペダルを構成した。
【０００９】
ここで、前記転がり軸受けがローラベアリングであることが好ましく、更には前記転がり軸受けがニードルベアリングであることが好ましい。
【００１０】
また、フットボードの前記基端部とペダルフレームの前記支持部との間に、前記軸体が挿通されるスラストワッシャを介装してなるものが好ましい。
【００１１】
更に、フットボードの前記基端部に設けられる取付穴が、転がり軸受けを係止するための小径段部を有しないストレート穴よりなることが好ましい。
【００１２】
また、ペダルフレームの前記支持部に横方向に貫通した支持穴を設け、該支持穴の内部に、前記軸体の端部が挿入される有底又は無底の挿着穴を有するペーサ部材を介して、該軸体端部を固定してなるものが好ましい。
【００１３】
特に、前記ペダルフレームの下面側に開口し且つ前記支持穴の内部に連通する貫通したネジ孔を設けるとともに、前記スペーサ部材の側壁部に前記ネジ孔に対応する位置に開口し且つ前記挿着穴の内部に連通する通孔又はネジ孔を設け、前記ペダルフレームの下面側から取り付ける雄ネジにより前記ペダルフレームの支持部及びスペーサ部材の側壁部を貫通して前記支持穴の内部に挿入した軸体の前記端部を上方に押圧することにより、当該軸体をスペーサ部材を介してペダルフレームの前記支持穴の内部に固着させるものが好ましい。
【００１４】
また、スペーサ部材の前記挿着穴が有底の穴であり、該底部から軸方向に沿って外部に連通する貫通したネジ孔を設けてなり、ペダル分解の際、該ネジ孔に外部から雄ネジをねじ込んで挿着穴内部の軸体端面を押圧することにより、該軸体又はスペーサ部材を前記支持穴に対し軸方向に沿って内方又は外方に移動させ、該支持穴から離脱させるものが好ましい。
【発明の効果】
【００１５】
以上にしてなる本願発明に係るフットペダルは、演奏者からの荷重を受けるフットボード側の取付穴にラジアル形の転がり軸受けを固定し、ペダルフレームの左右の支持部間に架設される軸体により前記転がり軸受けを介してフットボードを回動可能に支持する構造であるため、フットボードと転がり軸受け外面側との間のはめあいには締めしろが必要であるが、転がり軸受け内側と軸体との間には締めしろが不要となる。したがって、軸体に転がり軸受けを係止するための段部や圧入する必要がなくなり、高い加工／成形精度が要求される構造ではなく、設計自由度が広がると同時に、滑りや転がり軸受けに軸方向への無理な力の生じなく、ガタつきの無いスムーズな回動動作を維持できる。
【００１６】
またフットボードをペダルフレームに組み付ける際の作業性についても、あらかじめ基端部の取付穴に転がり軸受けを圧入したフットボードを、該転がり軸受けに挿通される軸体によってペダルフレームの支持部間に支持させる簡易な作業で組み付けを行なうことができる。さらに、ペダルフレームの支持部の間に両端支持された安定した状態の軸体に転がり軸受けを介してフットボードを回動可能に取り付けた構造であるため、従来の片持ち支持の軸部を転がり軸受けで支持する構造に比べて、軸体が変形しにくく、加えて支持部に近い取付穴開口付近に転がり軸受けを固定することができるので、軸体がより変形しにくい構成をとることができ、転がり軸受けの破損やガタつきも防止できる。よって、軸体のサイズや素材、転がり軸受けの選択の幅もより広くなるのである。
【００１７】
また、本発明の構成によれば、前記転がり軸受けとしてローラベアリングを用いて、該ローラベアリングをフットボード基端部の取付穴に圧入し、内側のローラ側に挿通される軸体に対してフットボードをスムーズに回動させることが可能となる。このように本発明はローラベアリングを採用できる為、該ローラベアリングを圧着させる取付穴についてもストレート穴など簡易な構造とすることができ、加工が容易となり生産コストを削減できる。特にニードルベアリングであれば軽量且つ耐久性があり、スムーズな回動が実現される。
【００１８】
また、フットボード基端部とペダルフレーム支持部との間に、軸体が挿通されるスラストワッシャを介装したので、フットボードの横方向へのブレを抑え、スムーズな回動が維持されるとともに取付穴に設けた転がり軸受けに軸方向への無理な力が作用することも防止できる。
【００１９】
更に、フットボード基端部に設けられる取付穴が、転がり軸受けを係止するための小径段部を有しないストレート穴であれば、加工が容易であり、生産コストを低減できる。
【００２０】
また、ペダルフレームの前記支持部に横方向に貫通した支持穴を設け、該支持穴の内部に、前記軸体の端部が挿入される有底又は無底の挿着穴を有するスペーサ部材を介して、該軸体端部を固定したので、例えば軸体の端部を支持部の支持穴に遊嵌した後、外側から該支持穴にスペーサ部材を装着して軸体端部を挿着穴に挿入して容易に固定することができ、組み付け作業性が著しく向上する。また、一般的に強度のあるペダルフレームの支持部や軸体のはめあい寸法精度を求めることなく、スペーサ部材で誤差を吸収して強固に固定することが可能となる。
【００２１】
特に、前記ペダルフレームの下面側に開口し且つ前記支持穴の内部に連通する貫通したネジ孔を設けるとともに、前記スペーサ部材の側壁部に前記ネジ孔に対応する位置に開口し且つ前記挿着穴の内部に連通する通孔又はネジ孔を設け、前記ペダルフレームの下面側から取り付ける雄ネジにより前記ペダルフレームの支持部及びスペーサ部材の側壁部を貫通して前記支持穴の内部に挿入した軸体の前記端部を上方に押圧することにより、当該軸体をスペーサ部材を介してペダルフレームの前記支持穴の内部に固着させるものでは、軸体とペダルフレームとを容易且つ確実に組み付けを行なうことができる。
【００２２】
また、スペーサ部材の前記挿着穴が有底の穴であり、該底部から軸方向に沿って外部に連通する貫通したネジ孔を設けたので、ペダル分解の際、該ネジ孔に外部から雄ネジをねじ込んで挿着穴内部の軸体端面を押圧することにより、該軸体又はスペーサ部材を前記支持穴に対し軸方向に沿って内方又は外方に移動させ、該支持穴から容易に離脱させることができる。
【図面の簡単な説明】
【００２３】
【図１】本発明の第１実施形態に係るフットペダルを示す側面図。
【図２】同じく一部省略して平面図。
【図３】（ａ），（ｂ）は同じく要部の断面図。
【図４】本発明の第２実施形態に係るフットペダルを用いたハイハットスタンドを示す側面図。
【図５】同じくフットペダルの折り畳み動作を示す側面図。
【図６】同じくフットペダルの要部を示す平面図。
【発明を実施するための形態】
【００２４】
次に、本発明の実施形態を添付図面に基づき詳細に説明する。
【００２５】
まず、図１〜図３に基づき、本発明の第１実施形態を説明する。
【００２６】
本発明に係るフットペダル１は、図１に示すように、ペダルフレーム２と、ペダルフレーム２の後端側に設けられる支持部６により基端部３０が回動可能に支持され、演奏者の踏み込み操作により先端側に連結される作動部材５を介して楽器を動作させるフットボード３とより構成されている。
【００２７】
特に本発明では、図２及び図３にも示すように、フットボード３の基端部３０に左右横方向に貫通する取付穴３１を設け、該取付穴３１の左右両端部の内周面に、それぞれラジアル形の転がり軸受け３２を固定し、また、フットボード３の基端部３０の左右外側の位置にそれぞれペダルフレーム２の支持部６を設けるとともに、フットボードの取付穴３１及び各転がり軸受け３２を貫通する軸体７を設け、軸体７の両端部７０をペダルフレーム２左右の支持部６にそれぞれ固定したものである。
【００２８】
このようにフットペダル１は、フットボード３の基端部３０がペダルフレーム２の支持部６、６間に架設された軸体７により転がり軸受け３２を介して回動可能に支持された構造であり、転がり軸受け３２内側と軸体７との間に締めしろが不要であり、軸体７に転がり軸受けを係止するための段部や圧入する必要無いことから、高い加工／成形精度が不要で、設計自由度が広く、また滑りや転がり軸受けに軸方向への無理な力が生じなく、長期にわたりガタつきの無いスムーズな回動動作を維持できるものとなる。
【００２９】
本実施形態のフットペダル１は、ドラム用のフットペダルとして構成したものであり、図１に示すように、ペダルフレーム２は床面に置かれる前後に長いフレーム本体２０、該フレーム本体２０の前端部から上方に延びる左右一対の支柱部２１を有する側面視略Ｌ字状とされており、左右の支柱部２１の上端部の間に、ドラムヘッドを打撃するビータ４１が取り付けられた回動軸４が水平に軸支されている。そして、フレーム本体２０の後端側に設けられるヒール部２２の前端部位に上記フットボード３を支持する支持部６、６が形成されている。本例は単式のペダルであるが、二連式など複数のフットペダル１を連結して使用する各ペダルにも勿論適用できる。
【００３０】
回動軸４の中央位置には、フットボード３の先端から延びる作動部材５としてのチェーンの他端が巻回された状態で連結される略円盤状のホイール４０が固定されており、回動軸４のホイール４０に隣接した中央位置寄りにビータ４１が取り付けられている。また、回動軸４の支柱部２１より外側に突出した部位には、図示しないカムが固定されており、該カムと支柱部２１の根元部との間にコイルばねが配設されている。作動部材５はチェーン以外に例えば皮革または合成樹脂製のバンドやタイミングベルト等を用いてもよい。
【００３１】
そして、フットボード３を足で踏み込むと、先端側の作動部材５が一体的に引き下げられ、作動部材５に連結されているホイール４０が回動軸４と一体に回動し、ビータ４１がドラムヘッドを打撃する。この際、前記コイルばねがカムの回転により伸びた状態となり、フットボード３から踏み込み力を解除すると、回動軸４がコイルばねの弾性復元力により反対方向に回動し、ビータ４１およびフットボード３が初期位置に復帰し、次の打撃操作を可能にする。
【００３２】
フレーム本体２０及び左右一対の支柱部２１は鋳造によりアルミニウム合金等の金属材料で一体形成されている。フレーム本体２０は、前後寸法がフットボード３よりも大きい寸法を有し、前端側にはバスドラムのフープに固定するためのクランプ手段２３が設けられ、後端側には上記支持部６、６を有し且つ演奏者の足のかかとが載置されるヒール部２２が形成されている。本例では、ヒール部２２も前記鋳造時にフレーム本体２０の後端部に一体形成されており、部品点数が少なく、軽量化も図れる構造とされている。
【００３３】
支持部６、６は、ヒール部２２の前端側の左右の位置に、左右両側から前方に突出してフットボード３の基端部３０を挟み込むように設けられている。つまり、ヒール部２２はヒール部本体２２ａ及び支持部６、６を合わせて平面視略凹字状に形成されている。なお、フレーム本体２０は、スチール製等の基台プレートの後端部にヒール部２２としてのヒール台を別途取り付けたものとし、基台プレートの前端部に支柱部２１として支柱フレームを別途取り付けたものでもよい。
【００３４】
フットボード３は、ペダルフレーム２と同様、金属材料で鋳造された板状の鋳造物であるが、スチール製ボードや合成樹脂製ボードなどでも可能である。基端部３０の取付穴３１は、途中、下面側に抜けている横方向のストレート穴である。本発明では、取付穴３１の内面に転がり軸受けを圧着できるので、転がり軸受けを係止するための小径段部を形成する必要がなく、ストレート穴で容易に加工することができるのであるが、このような転がり軸受け係止用の段部を形成しても勿論よい。また、係止用の段部を設ける場合には、取付穴３１の内周面に段部を形成する代わりに、ストレート穴の中間部に小径の筒体を挿入し、その両端部をボールベアリングを係止する段部とすることが加工並びに組み付け性がよい点で好ましい例である。
【００３５】
取付穴３１の内周面に固定される転がり軸受け３２は、ローラベアリングが用いられている。ローラベアリングは取付穴３１内周面に圧入され、内側のローラ側に挿通される軸体に対してフットボード３と一体となってスムーズに回動する。本発明は軸体７との間に締めしろが不要であり、転がり軸受け３２としてローラベアリングを採用できる為、該ローラベアリングを圧着させる取付穴についてもストレート穴など簡易な構造とすることができ、加工が容易となり生産コストを削減できる。特に転がり軸受け３２がニードルベアリングであれば軽量且つ耐久性があり、スムーズな回動が実現される。ただし、転がり軸受け３２がボールベアリングであってもよい。
【００３６】
取付穴３１及び各転がり軸受け３２を貫通した軸体７の両端部７０を固定する支持部６、６には、図３（ａ），（ｂ）に示すように、それぞれ軸体７の端部７０を受け入れるための横方向に貫通した支持穴６０が設けられており、軸体７を支持穴６０の外側から挿通してペダルフレーム２とフットボード３を容易に組み付けることができるように構成されている。尚、左右一方のみこのような貫通した支持穴としてもよいし、或いは、貫通せずに内側並びにペダルフレームの上面又は下面側に開口する切欠き穴として、開口しているフレーム上面又は下面側からフットボード３の基端部３０に挿通した軸体７の端部７０を装着したうえ、当該開口を塞ぐ別部材等で端部７０を固定する構造などでもよい。
【００３７】
軸体７の端部７０と支持穴６０の内周面との間には、図３（ａ），（ｂ）に示すように、スペーサ部材８が介装されている。スペーサ部材８は、端部７０が挿入される有底又は無底の挿着穴８０が設けられており、組み付けの際には、軸体７の端部７０を支持穴６０に遊嵌した後、支持穴６０の外側からスペーサ部材８を挿入し、軸体７の端部７０を挿着穴８０に挿入することで、容易に組み付けできる。
【００３８】
また、支持部６には、下面側に開口して支持穴６０の内部空間に連通するネジ孔６１が設けられ、スペーサ部材８の側壁部のネジ孔６１に対応する位置にも、挿着穴８０の内部に連通する通孔８１又はネジ孔が開設されており、下面側から雄ネジ６２をネジ孔６１に螺合し、通孔８１を貫通した先端部で軸体７の端部７０を上方に押圧することで、該端部７０をスペーサ部材８を介して支持穴６０の内部に固着されている。ここで、通孔８１を軸方向に長い長孔とすれば支持穴６０に対してスペーサ部材８の軸方向の固着位置を調節することができ、軸体７の長さにばらつきがあってもスペーサ部材８を端部７０にしっかりと挿着したうえで前記雄ネジ６２により支持穴６０の内部に固着させることができる点で好ましい。
【００３９】
スペーサ部材８の挿着穴８０の底部には、軸方向外側に貫通するネジ孔８２が設けられている。これはペダル分解の際、該ネジ孔８２に外部から雄ネジをねじ込んで挿着穴８０内部の軸体端部７０の端面を押圧することにより、互いに固着している端部７０又はスペーサ部材８を軸方向に沿って内方又は外方に移動させ、支持穴６０から容易に離脱させることができる。
【００４０】
本実施形態では、更にフットボード基端部３０とペダルフレーム支持部６との間に、軸体７が挿通されるスラストワッシャ９が介装されている。これによりフットボード３の横方向へのブレを抑えているが、このようなスラストワッシャは必須ではなく、隙間を小さくすればブレを抑えることができる。また、上記スペーサ部材８を突出させて代用してもよい。
【００４１】
次に、図４〜図６に基づき、本発明の第２実施形態を説明する。
【００４２】
本実施形態のフットペダル１Ａは、図４に示すようにハイハットスタンドＨ用のペダルとして構成したものである。ハイハットスタンドＨは、図４に示すように、上部に楽器であるシンバル１０、１１を支持するスタンド本体１２と、シンバルの演奏を行うフットペダル１Ａと、スタンド本体１２を支持する折畳み自在な脚装置１７とで構成されている。
【００４３】
スタンド本体１２は、下パイプ１３と、この下パイプ１３の上部に挿通され、蝶ねじによって高さ調整可能に支持される上パイプ１４と、この下パイプ１３及び上パイプ１４の内部に挿着され、下方に突出して連結したフットペダル１Ａの踏み込み操作により昇降され、上方に突出した部位に上部シンバル１１が保持される昇降ロッド１５と、下パイプ１３内に内装され、昇降ロッド１５を上方に付勢して上部シンバル１１を下部シンバル１０から離間させる図示しないコイルばねとより構成されている。また、下部シンバル１０は上パイプ１４の上端部に支持され、上部シンバル１１は上パイプ１４の上端から突出している昇降ロッド１５上端部に固定されるシンバル保持具１６により保持されている。
【００４４】
フットペダル１Ａは、ペダルフレーム２と、ペダルフレーム２の後端側に設けられる支持部６により基端部３０が回動可能に支持されるフットボード３とより構成されており、フットボード３の先端部には、チェーンよりなる作動部材５が連結されており、該作動部材５の他端は上記昇降ロッド１５の下端部に連結されている。そして、フットペダル１Ａのフットボード３を踏み込むことにより、先端側の作動部材５が引き下げられ、これにより昇降ロッド１５もコイルばねに抗して引き下げられ、昇降ロッド１５と一体に上部シンバル１１も下降して下部シンバル１０を衝打して演奏を行なうことができる。作動部材５はチェーン以外に例えば皮革または合成樹脂製のバンドやタイミングベルト等を用いてもよい。
【００４５】
フットペダル１Ａのペダルフレーム２は、図５（ａ）に示すように上端がスタンド本体１２の下端に固定され床面上に設置される支持フレーム２４と、支持フレーム２４に対して上下回動可能に枢支され、床面に沿って水平方向に延びる連結フレーム２５と、連結フレーム２５の後端部に設けられるヒール部２２とより構成されており、ヒール部２２の前端部位には、図６に示すように上記フットボード３を支持する支持部６、６が形成されている。
【００４６】
支持フレーム２４は、上下のフレームと左右の支柱から正面視ロ字状に構成されており、左右の各支柱２４ａに一対の連結フレーム２５が枢支されている。各連結フレーム２５は、支柱２４ａの途中部に枢支される端部から床面に向かって斜めに延びて屈曲して床面に沿って水平方向に延びる略Ｌ字状の主フレーム２６と、該主フレーム２６の屈曲部から支持フレーム２４に向かって水平に延出した分岐片２７とから構成されている。
【００４７】
分岐片２７の端部には、図５に示すように、支柱２４ａの下端付近の係合孔２４ｃに係合する係合突起２７ａが設けられ、該係合突起２７ａと係合孔２４ｃとの係合により分岐片２７を支持フレーム２４に連結させることで、連結フレーム２５が支持フレーム２４に固定され、フットペダル１Ａがスタンド本体１２を支持する脚として機能する。そして、折り畳みの際には、図５（ｂ）に示すように前記係合を解除して分岐片２７を支柱２４ａから切り離し、連結フレーム２５を支持フレーム２４に対して上方に回動させてスタンド本体１２に沿った折り畳み姿勢に姿勢変更させることができる。
【００４８】
フットボード３とペダルフレーム２との支持構造は、上記第１実施形態と同様である。すなわちフットボード３の基端部３０に左右横方向に貫通する取付穴３１を設け、該取付穴３１の左右両端部の内周面にそれぞれ転がり軸受け３２を固定し、また、フットボード３の基端部３０の左右外側の位置にそれぞれペダルフレーム２の支持部６が設けられ、フットボードの取付穴３１及び各転がり軸受け３２を貫通する軸体７が設けられ、軸体７の両端部７０がペダルフレーム２左右の支持部６にそれぞれ固定されている。
【００４９】
支持部６、６は、図６に示すようにヒール部２２の前端側の左右の位置に、左右両側から前方に突出してフットボード３の基端部３０を挟み込むように設けられている。つまり、ヒール部２２はヒール部本体２２ａ及び支持部６、６を合わせて平面視略凹字状に形成されている。その他の構造については、上記第１実施形態で説明した図２及び図３の構造及び変形例と同じであり、その説明を省略する。
【００５０】
以上、本発明の各実施形態について説明したが、本発明はこうした実施例に何ら限定されるものではなく、本発明の要旨を逸脱しない範囲において種々なる形態で実施し得ることは勿論である。
【符号の説明】
【００５１】
１、１Ａ  フットペダル
２  ペダルフレーム
３  フットボード
４  回動軸
５  作動部材
６  支持部
７  軸体
８  スペーサ部材
９  スラストワッシャ
１０、１１  シンバル
１２  スタンド本体
１３  下パイプ
１４  上パイプ
１５  昇降ロッド
１６  シンバル保持具
１７  脚装置
２０  フレーム本体
２１  支柱部
２２  ヒール部
２２ａ  ヒール部本体
２３  クランプ手段
２４  支持フレーム
２４ａ  支柱
２４ｃ  係合孔
２５  連結フレーム
２６  主フレーム
２７  分岐片
２７ａ  係合突起
３０  基端部
３１  取付穴
３２  転がり軸受け
４０  ホイール
４１  ビータ
６０  支持穴
６１  ネジ孔
６２  雄ネジ
７０  端部
８０  挿着穴
８１  通孔
８２  ネジ孔
Ｈ  ハイハットスタンド
【図１】
2014137589.tif 000003
【図２】
2014137589.tif 000004
【図３】
2014137589.tif 000005
【図４】
2014137589.tif 000006
【図５】
2014137589.tif 000007
【図６】
2014137589.tif 000008